(57)【要約】【課題】簡素な構成で防水性の高い天井取付用照明器具を提供する。【解決手段】天井取付用照明器具１は、浴室の天井に嵌め込まれて使用されるものである。天井取付用照明器具１は、光源２を収容したケース３と、光源２に電源供給する電線１０と、カバー９と、を備えている。ケース３は、上方に凸に形成された第３凸部３３を有している。第３凸部３３には、電線１０が通される開口部３８が設けられている。カバー９は、第３凸部３３を覆い、第３凸部３３の側面に沿うカップ状に形成されている。カバー９は、その一部分が、他の部分よりも外側に膨らんだ膨出部９６として形成されている。膨出部９６は、その内側に電線１０を位置付けて、当該電線１０を第３凸部３３の側面に沿って下向きにガイドする。【選択図】図４
2020017501.tif 000002
【特許請求の範囲】
【請求項１】
光源を収容した本体部と、前記光源に電源供給する電線と、を備え、天井に嵌め込まれる天井取付用照明器具において、
前記本体部は、ケースと、該ケースに組み付けられ、前記光源が取り付けられるソケットと、で構成され、
前記本体部は、上方に凸に形成された凸部を有し、
前記凸部を覆い、前記凸部の側面に沿うカップ状のカバーを備え、
前記カバーが、その内側に前記電線を位置付けて当該電線を前記凸部の側面に沿って下向きにガイドするガイド部を有している
ことを特徴とする天井取付用照明器具。
【請求項２】
前記カバーは、前記本体部に係止する係止爪を有している
ことを特徴とする請求項１に記載の天井取付用照明器具。
【請求項３】
前記カバーの一部分が、他の部分よりも外側に膨らんだ膨出部として形成されており、当該膨出部が前記ガイド部を成している
ことを特徴とする請求項１又は２に記載の天井取付用照明器具。
【請求項４】
前記カバーは、周壁と、該周壁の内面に沿って延びた一対のリブと、を有しており、これら周壁の内面及び一対のリブが前記ガイド部を成している
ことを特徴とする請求項１又は２に記載の天井取付用照明器具。
【請求項５】
前記ケースは、前記凸部を有している
ことを特徴とする請求項１〜４の何れか１項に記載の天井取付用照明器具。
【請求項６】
前記ソケットは、前記凸部を有している
ことを特徴とする請求項１〜４の何れか１項に記載の天井取付用照明器具。
【請求項７】
前記ケースは、前記凸部と、前記凸部の下端に連なり、前記凸部の側面に交差した交差面と、前記交差面から立設した一対の位置決め部と、を有し、
前記一対の位置決め部間に、前記電線と前記ガイド部が位置付けられる
ことを特徴とする請求項３に記載の天井取付用照明器具。
【請求項８】
前記ケースは、前記凸部と、前記凸部の下端に連なり、前記凸部の側面に交差した交差面と、前記交差面から立設した位置決め壁を有し、
前記位置決め壁は、前記凸部の側面との間に前記カバーの前記他の部分が位置付けられることを許容し、前記凸部の側面との間に前記ガイド部が位置付けられることを規制する
ことを特徴とする請求項３又は７に記載の天井取付用照明器具。
【発明の詳細な説明】
【技術分野】
【０００１】
本発明は、天井取付用照明器具に関するものである。
【背景技術】
【０００２】
天井に嵌め込まれる天井取付用照明器具（例えば特許文献１）は、様々な構造のものがあるが、例えば、図１０に示す天井取付用照明器具６０１がある。この天井取付用照明器具６０１は、天井裏に配置されるケース６０３と、ケース６０３に組み付けられ、光源が取り付けられるソケット６０８と、ソケット６０８から引き出された電線６１０と、室内に配置され、光源を覆うグローブ６０５と、グローブ６０５をケース６０３に固定するための線バネ６０６と、を備えている。
【０００３】
上述した天井取付用照明器具６０１が浴室などの湿度が高い場所に設置される場合、上から落下してきた水滴や電線６１０を伝ってきた水滴がソケット６０８内に浸入するおそれがあるので、何らかの防水対策を施す必要がある。例えば、シリコーンやパッキンを用いて水の浸入経路を塞ぐ方法や、ソケット６０８から引き出された電線６１０を下り勾配となるように配索する方法が考えられる。
【先行技術文献】
【特許文献】
【０００４】
【特許文献１】特開２０１３−７３９２７号公報
【発明の概要】
【発明が解決しようとする課題】
【０００５】
しかしながら、上記防水対策としてシリコーンやパッキンを用いて水の浸入経路を塞ぐ方法を採用する場合、構造設計の制約に繋がるという問題があった。また、ソケット６０８から引き出された電線６１０を下り勾配となるように配索する方法は、全ての作業者に徹底させることが難しいという問題があった。
【０００６】
本発明は、上述した問題に鑑みてなされたものであり、簡素な構成で防水性の高い天井取付用照明器具を提供することを目的としている。
【課題を解決するための手段】
【０００７】
本発明は、光源を収容した本体部と、前記光源に電源供給する電線と、を備え、天井に嵌め込まれる天井取付用照明器具において、前記本体部は、ケースと、該ケースに組み付けられ、前記光源が取り付けられるソケットと、で構成され、前記本体部は、上方に凸に形成された凸部を有し、前記凸部を覆い、前記凸部の側面に沿うカップ状のカバーを備え、前記カバーが、その内側に前記電線を位置付けて当該電線を前記凸部の側面に沿って下向きにガイドするガイド部を有していることを特徴とする天井取付用照明器具である。
【発明の効果】
【０００８】
本発明によれば、凸部を覆い、前記凸部の側面に沿うカップ状のカバーを備えているので、上から落下してきた水滴が本体部内に浸入することを防止できる。また、前記ガイド部は、その内側に電線を位置付けて、当該電線を前記凸部の側面に沿って下向きにガイドするので、水滴が電線を伝って本体部内に浸入することを防止できる。よって、簡素な構成で、防水性の高い天井取付用照明器具を提供することができる。
【図面の簡単な説明】
【０００９】
【図１】本発明の第１実施形態にかかる天井取付用照明器具の斜視図である。
【図２】図１の天井取付用照明器具の分解図である。
【図３】図２のケースの断面斜視図である。
【図４】図２のケースから引き出された電線が一対の位置決め部間に位置付けられた状態を示す斜視図である。
【図５】図４のケースにカバーが組み付けられた状態を示す斜視図である。
【図６】本発明の第２実施形態にかかる天井取付用照明器具の斜視図である。
【図７】本発明の第３実施形態にかかる天井取付用照明器具の概略構成図である。
【図８】図７のカバーの底面図である。
【図９】本発明の第４実施形態にかかる天井取付用照明器具の概略構成図である。
【図１０】従来の天井取付用照明器具の斜視図である。
【発明を実施するための形態】
【００１０】
本発明の第１実施形態にかかる「天井取付用照明器具」を図１〜５を参照して説明する。図１に示す天井取付用照明器具１は、浴室の天井に嵌め込まれて使用されるものである。この天井取付用照明器具１は、図２に示すように、光源２と、光源２が取り付けられるソケット８と、光源２に電源供給する電線１０と、光源２及びソケット８を収容したケース３と、パッキン１１，１２と、グローブ５と、グローブ５をケース３に固定するための線バネ６と、グローブ５と線バネ６とを連結させる連結部材７と、カバー９と、を備えている。また、ケース３とソケット８とは、特許請求の範囲に記載した「本体部」を構成している。
【００１１】
ソケット８は、筒状に形成されている。図２に示すように、ソケット８の上側から電線１０が挿入され、下側から光源２が挿入される。また、図３に示すように、ソケット３は、ケース３の後述する第３凸部３３内に収容され、ネジ１３によってケース３に固定される。
【００１２】
ケース３は、合成樹脂で構成されている。ケース３は、円板状の基部３０と、基部３０の中心部から上方に凸に形成された第１凸部３１と、第１凸部３１上面の中心部から上方に凸に形成された第２凸部３２と、第２凸部３２上面の中心部から上方に凸に形成された第３凸部３３（「凸部」に相当する。）と、を有している。
【００１３】
第１凸部３１は、基部３０よりも小径の中空円筒状に形成されている。第２凸部３２は、第１凸部３１よりも小径の中空円筒状に形成されている。第３凸部３３は、第２凸部３２よりも小径の中空円筒状に形成されている。図３に示すように、基部３０の中心部即ち第１凸部３１の底面は開口している。同様に、第１凸部３１上面の中心部即ち第２凸部３２の底面も開口している。同様に、第２凸部３２上面の中心部即ち第３凸部３３の底面も開口している。即ち、第１凸部３１の内部と、第２凸部３２の内部と、第３凸部の内部と、は互いに連通している。
【００１４】
基部３０は、天井板に重ねられ、ネジによって天井板に固定される。基部３０の上面には環状のパッキン１１が取り付けられる。このパッキン１１は、天井板と基部３０との間をシールする。基部３０の下面には環状のパッキン１２が取り付けられる。このパッキン１２は、基部３０とグローブ５との間をシールする。
【００１５】
第１凸部３１は、天井板に形成された孔に嵌め込まれる。即ち、基部３０よりも上の部分は、天井裏に配置される。第１凸部３１の上面には、線バネ６が通される挿通孔３６が設けられている。本例においては、線バネ６が一対用いられているので、挿通孔３６は、第１凸部３１の上面の二箇所に設けられている。
【００１６】
第２凸部３２の上面には、カバー９の後述する係止爪９３が係止する係止孔３７が設けられている。本例においては、係止爪９３が４つ設けられているので、係止孔３７は、第２凸部３２の上面の四箇所に設けられている。
【００１７】
第３凸部３３の上面には、電線１０が通される開口部３８が設けられている。また、第３凸部３３の上面には、ソケット８を固定するためのネジ１３がねじ込まれるネジ取付部３９が設けられている。
【００１８】
さらに、ケース３は、第４凸部３４と、第４凸部３４の上面から立設した一対の位置決め部３５と、を有している。第４凸部３４は、第１凸部３１の上面から凸に形成されるとともに第２凸部３２の側面から凸に形成されている。第４凸部３４の上面と第２凸部３２の上面とは面一に形成されている。これら第４凸部３４の上面及び第２凸部３２の上面は、第３凸部３３の下端に連なり、第３凸部３３の側面に交差している。即ち、第４凸部３４の上面及び第２凸部３２の上面は、特許請求の範囲に記載した「交差面」に相当する。一対の位置決め部３５は、本例では互いに対向する板状に形成されている。この一対の位置決め部３５間には、電線１０と、カバー９の後述する膨出部９６が位置付けられる。
【００１９】
グローブ５は、光源２を覆い、光源２から発せられる光を拡散させるためのものであり、透光性の合成樹脂で構成されている。グローブ５は、浴室内に配置される。また、グローブ５は、図２に示す一対の線バネ６が上述した挿通孔３６に通されて該挿通孔３６に引っ掛かることにより、図１に示すようにケース３に固定される。
【００２０】
カバー９は、第３凸部３３を覆い、かつ、電線１０を第３凸部３３の側面に沿って下向きにガイドするためのものである。カバー９は、合成樹脂によってカップ状に形成されている。カバー９は、外形が半球状の頂部９１と、頂部９１の外縁から下垂し、円筒状に形成された周壁９２と、周壁９２の下端から下垂した係止爪９３と、を有している。本例においては、係止爪９３が４つ設けられており、各係止爪９３が上述した各係止孔３７に係止することで、カバー９がケース３に組み付けられる。
【００２１】
また、カバー９は、その一部分が、他の部分よりも外側に膨らんだ膨出部９６（「ガイド部」に相当する。）として形成されている。本例においては、頂部９１から周壁９２の下端にわたって膨出部９６が形成されている。膨出部９６は、カバー９の内側から見て溝状に形成されている。膨出部９６と凸部３３の側面との間には、電線１０を位置付けるための空間が形成されている。なお、周壁９２は、膨出部９６を除いて、凸部３３の側面に沿う寸法に形成されている。膨出部９６は、その内側に電線１０を位置付けて、電線１０を第３凸部３３の側面に沿って下向きにガイドする。図５に示すように、カバー９がケース３に組み付けられた状態において、膨出部９６の下端は、上述した一対の位置決め部３５間に位置付けられる。また、膨出部９６の下端部には、電線１０を横向きに引き出すための切欠き９７が設けられている。
【００２２】
図４に示すように、カバー９をケース３に組み付ける前に、開口部３８から引き出された電線１０を第３凸部３３の側面に沿わせて下向きに配索するとともに一対の位置決め部３５間に位置付けておき、この状態でカバー９をケース３に組み付けると、電線１０を噛み込むことなく容易にカバー９を組み付けることができる。
【００２３】
上記構成の天井取付用照明器具１は、開口部３８が設けられた第３凸部３３を覆うカバー９を備えているので、上から落下してきた水滴が開口部３８からケース３内に浸入することを防止できる。また、カバー９の膨出部９６が開口部３８から引き出された電線１０を下向きにガイドするので、水滴が電線１０を伝って開口部３８からケース３内に浸入することを防止できる。このように、本発明によれば、簡素な構成で防水性の高い天井取付用照明器具１を提供することができる。
【００２４】
また、天井取付用照明器具１は、カバー９が係止爪９３を有しているので、カバー９をケース３に組み付けるにあたってネジを必要とせず、かつ、カバー９を容易に着脱することができる。
【００２５】
本発明の第２実施形態にかかる「天井取付用照明器具」を図６を参照して説明する。図６において、前述した実施形態と同一構成部分には同一符号を付して説明を省略する。図６に示す天井取付用照明器具１０１は、第１実施形態と同様に、浴室の天井に嵌め込まれて使用されるものである。この天井取付用照明器具１０１は、ケース１０３が位置決め壁４０を有していること以外は、第１実施形態の天井取付用照明器具１と同一の構成である。なお、図６においては、グローブ５の図示を省略している。
【００２６】
位置決め壁４０は、第２凸部３２の上面（「交差面」に相当する。）から立設しており、第２凸部３２の側面と面一に形成されている。また、位置決め壁４０は、一対の位置決め部３５と連なっている。このような位置決め壁４０は、第３凸部３３の側面との間にカバー９の他の部分が位置付けられることを許容し、第３凸部３３の側面との間に膨出部９６が位置付けられることを規制する。すなわち、位置決め壁４０と第３凸部３３の側面との間隔は、膨出部９６の膨らみ量よりも小さく形成されている。このため、位置決め壁４０と第３凸部３３の側面との間に膨出部９６を位置付けることができない。
【００２７】
上記構成の天井取付用照明器具１０１は、第１実施形態で説明した作用効果に加え、上記位置決め壁４０により、カバー９の誤組み付けを防止できる。
【００２８】
本発明の第３実施形態にかかる「天井取付用照明器具」を図７，８を参照して説明する。図７，８において、前述した実施形態と同一構成部分には同一符号を付して説明を省略する。図７，８に示す天井取付用照明器具２０１は、第１実施形態と同様に、浴室の天井に嵌め込まれて使用されるものである。この天井取付用照明器具２０１は、カバー２０９以外は、第１実施形態の天井取付用照明器具１と同一の構成である。
【００２９】
カバー２０９は、第１実施形態で説明した膨出部９６が形成されておらず、その代わりに、周壁９２の内面に沿って延びた一対のリブ９８を有している。一対のリブ９８は、頂部９１から周壁９２の下端にわたって形成されている。これら一対のリブ９８と、一対のリブ９８間における周壁９２の内面９２ａとは、電線１０を位置付けるための空間を形成している。これら一対のリブ９８及び周壁９２の内面９２ａを合わせたものを「ガイド部」と呼称し、符号９９を付す。ガイド部９９は、その内側に電線１０を位置付けて、電線１０を第３凸部３３の側面に沿って下向きにガイドする。
【００３０】
上記構成の天井取付用照明器具２０１は、第１実施形態と同様に、開口部３８が設けられた第３凸部３３を覆うカバー２０９を備えているので、上から落下してきた水滴が開口部３８からケース３内に浸入することを防止できる。また、カバー２０９のガイド部９９が開口部３８から引き出された電線１０を下向きにガイドするので、水滴が電線１０を伝って開口部３８からケース３内に浸入することを防止できる。このように、本発明によれば、簡素な構成で防水性の高い天井取付用照明器具２０１を提供することができる。
【００３１】
本発明の第４実施形態にかかる「天井取付用照明器具」を図９を参照して説明する。図９において、前述した実施形態と同一構成部分には同一符号を付して説明を省略する。図９に示す天井取付用照明器具３０１は、第１実施形態と同様に、浴室の天井に嵌め込まれて使用されるものである。
【００３２】
この天井取付用照明器具３０１は、光源２と、ケース３０３と、ケース３０３に組み付けられ、光源２が取り付けられるソケット３０８と、光源２に電源供給する電線１０と、ケース３０３に固定される不図示のグローブと、カバー２０９等を備えている。また、ケース３０３とソケット３０８とは、特許請求の範囲に記載した「本体部」を構成している。
【００３３】
ソケット３０８は、ソケット本体３８１（「凸部」に相当する。）と、固定部３８３と、を有している。固定部３８３は、ネジ１３によってケース３０３の上面に固定される。固定部３８３がケース３０３に固定された状態において、ソケット本体３８１は、ケース３０３の上面から上方に凸となる。ソケット本体３８１の上側から電線１０が挿入され、下側から光源２が挿入される。
【００３４】
ケース３０３の上面の中心部には、光源２を通すための開口部３４２が設けられている。光源２の発光部は、この開口部３４２を通されてケース３０３内に位置付けられる。光源２の電気接続部とソケット３０８とは、ケース３０３外に位置付けられる。
【００３５】
カバー２０９は、第３実施形態で説明したものと同一構成である。第３実施形態においては、カバー２０９が第３凸部３３を覆っていたが、本例においては、カバー２０９がソケット本体３８１を覆い、かつ、電線１０をソケット本体３８１の側面に沿って下向きにガイドする。
【００３６】
上記構成の天井取付用照明器具３０１は、ソケット本体３８１を覆うカバー２０９を備えているので、上から落下してきた水滴がソケット３０８内に浸入することを防止できる。また、カバー２０９のガイド部９９がソケット３０８から引き出された電線１０を下向きにガイドするので、水滴が電線１０を伝ってソケット３０８内に浸入することを防止できる。このように、本発明によれば、簡素な構成で防水性の高い天井取付用照明器具３０１を提供することができる。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３８】
１，１０１，２０１，３０１  天井取付用照明器具
２  光源
３，１０３，３０３  ケース
８，３０８  ソケット
９，２０９  カバー
１０  電線
３３  第３凸部（凸部）
３８  開口部
９６  膨出部（ガイド部）
９９  ガイド部
３８１  ソケット本体（凸部）
【図１】
2020017501.tif 000003
【図２】
2020017501.tif 000004
【図３】
2020017501.tif 000005
【図４】
2020017501.tif 000006
【図５】
2020017501.tif 000007
【図６】
2020017501.tif 000008
【図７】
2020017501.tif 000009
【図８】
2020017501.tif 000010
【図９】
2020017501.tif 000011
【図１０】
2020017501.tif 000012